(57)【要約】【課題】小型化及び低コスト化を図ることができる電源装置の低電圧異常検出回路を提供する。【解決手段】最高電位が出力される第１出力端子ＯＵＴ１、最低電位が出力される第３出力端子ＧＮＤ及び中間電位が出力される第２出力端子ＯＵＴ２を備え、第１出力端子と第３出力端子との間に接続され、最高電位の低下を検出する基準となる第１低下検出基準電位を決定する第１回路Ｒ２、ＺＤ１、Ｒ１と、第２出力端子と第３出力端子との間に接続され、第２回路Ｒ３とＺＤ４とアラーム信号出力手段ＰＣ１と低電圧検出手段Ｑ１との直列回路を備え、第２回路は、中間電位が第２低下検出基準電位より低下した場合に電流の流れを阻止し、電位低下検出手段は、最高電位が第１低下検出基準電位より低下した場合に電流の流れを阻止し、アラーム信号出力手段は、電流の流れの有無に応じてアラーム信号を出力する。【選択図】図１
2008029072.tif 000002
【特許請求の範囲】
【請求項１】
最高電位が出力される最高電位出力端子、最低電位が出力される最低電位出力端子及び前記最高電位と前記最低電位との間の中間電位が出力される中間電位出力端子を備えた電源装置の低電圧異常検出回路であって、
前記最高電位出力端子と前記最低電位出力端子との間に接続され、前記最高電位の低下を検出する基準となる第１低下検出基準電位を決定する第１回路と、
前記中間電位出力端子と前記最低電位出力端子との間に接続され、第２回路とアラーム信号出力手段と電位低下検出手段とからなる直列回路とを備え、
前記第２回路は、前記中間電位が第２低下検出基準電位より低下した場合に電流の流れを阻止し、
前記電位低下検出手段は、前記最高電位が前記第１低下検出基準電位より低下した場合に電流の流れを阻止し、
前記アラーム信号出力手段は、前記電流の流れの有無に応じてアラーム信号を出力することを特徴とする電源装置の低電圧異常検出回路。
【請求項２】
最高電位が出力される最高電位出力端子、最低電位が出力される最低電位出力端子及び前記最高電位と前記最低電位との間の中間電位が出力される中間電位出力端子を備えた電源装置の低電圧異常検出回路であって、
前記最高電位出力端子と前記最低電位出力端子との間に接続され、前記最高電位と前記最低電位との差電位の低下を検出する基準となる低下検出基準電位を決定する第１回路と、
前記中間電位出力端子と前記最低電位出力端子との間に接続され、アラーム信号出力手段と低電圧検出手段とからなる直列回路とを備え、
前記電位低下検出手段は、前記最低電位と前記最高電位との差電位が前記低下検出基準電位より低下した場合に電流の流れを阻止し、
前記アラーム信号出力手段は、前記電流の流れの有無に応じてアラーム信号を出力することを特徴とする電源装置の低電圧異常検出回路。
【請求項３】
前記アラーム信号出力手段は、前記最高電位出力端子、前記中間電位出力端子及び前記最低電位出力端子の中の２つの出力端子間に出力される出力電圧を生成する給電出力回路に開放不良が存在する場合に、前記電流の流れが阻止されるように接続されていることを特徴とする請求項１又は請求項２記載の電源装置の低電圧異常検出回路。
【発明の詳細な説明】
【技術分野】
【０００１】
本発明は、電源装置の低電圧異常検出回路に関し、特に異なる電圧を出力する複数の給電出力回路を備えた電源装置の出力電圧の低電圧異常を検出する技術に関する。
【背景技術】
【０００２】
電源装置は、その異常動作等によって出力電圧が低下すると、電圧供給先の負荷装置に誤動作や破損を引き起こすことがある。そこで、電源装置には、負荷装置を保護するために、出力電圧の低下を検出して警報を発する低電圧異常検出回路が設けられている。異なる電圧を出力する複数の給電出力回路を備えた電源装置の場合、その電源装置は、各給電出力回路の出力電圧の低下を検出する低電圧異常検出回路を設けなければならず、部品数が増加し、実装スペースの増大や装置の大型化によってコストアップを招いていた。
【０００３】
このような問題を解消するために、特許文献１は、装置の小型化及び低コスト化を図ることができる電源装置の低電圧異常検出回路を開示している。図５は特許文献１に示された低電圧異常検出回路の構成を示す図である。この低電圧異常検出回路は、異なる電圧を出力する複数の給電出力回路を有する電源装置において、補助電源Ｖｃｃの出力端子と接地端子との間に直列に接続された複数の抵抗Ｒ１〜Ｒ４を備え、それらの接続点Ｄ、Ｅ及びＦの電位が、給電出力回路の出力電圧検出点Ａ、Ｂ及びＣにおける出力電圧ＶA、ＶB及びＶCにそれぞれ対応する低下検出基準電位ＶD、ＶE及びＶFとなるように抵抗分割されている。
【０００４】
また、低電圧異常検出回路は、複数の抵抗Ｒ１〜Ｒ４の接続点Ｄ、Ｅ及びＦから、複数の給電出力回路の出力電圧検出点Ａ、Ｂ及びＣに、それぞれ順方向に接続された逆流防止ダイオードＤ１〜Ｄ３と、複数の抵抗Ｒ１〜Ｒ４の接続点Ｄ、Ｅ及びＦの電位の低下を検出する電位低下検出手段ｃｏｍｐと、電位低下検出手段の出力信号によりアラーム信号ＡＬＭを出力するアラーム信号出力手段ＰＩを備えている。
【０００５】
低電圧異常検出回路によれば、複数の抵抗Ｒ１〜Ｒ４の接続点Ｄ、Ｅ及びＦの電位低下を、複数の給電出力回路に共通の電位低下検出手段ｃｏｍｐで検出するので、部品数を削減し、装置の小型化及び低コスト化を図ることができる。
【特許文献１】特開２０００−９２７０１号公報
【発明の開示】
【発明が解決しようとする課題】
【０００６】
しかしながら、図５に示した従来の低電圧異常検出回路は、低下検出基準電位ＶD、ＶE及びＶFを生成するために補助電源Ｖｃｃを設ける必要があるので、部品点数が増加し、実装スペースの増大及び装置の大型化によってコストアップを招くという問題がある。また、給電出力回路の出力端子が無負荷の場合、給電出力回路を構成するトランスや整流ダイオードのはんだ付け不良や断線による開放不良を検出できないという問題がある。
【０００７】
本発明の課題は、小型化及び低コスト化を図ることができ、また、給電出力回路の部品の開放不良により出力電圧が得られないという異常状態を検出できる電源装置の低電圧異常検出回路を提供することにある。
【課題を解決するための手段】
【０００８】
前記課題を解決するために、請求項１記載の発明は、最高電位が出力される最高電位出力端子、最低電位が出力される最低電位出力端子及び前記最高電位と前記最低電位との間の中間電位が出力される中間電位出力端子を備えた電源装置の低電圧異常検出回路であって、前記最高電位出力端子と前記最低電位出力端子との間に接続され、前記最高電位の低下を検出する基準となる第１低下検出基準電位を決定する第１回路と、前記中間電位出力端子と前記最低電位出力端子との間に接続され、第２回路とアラーム信号出力手段と電位低下検出手段とからなる直列回路とを備え、前記第２回路は、前記中間電位が第２低下検出基準電位より低下した場合に電流の流れを阻止し、前記電位低下検出手段は、前記最高電位が前記第１低下検出基準電位より低下した場合に電流の流れを阻止し、前記アラーム信号出力手段は、前記電流の流れの有無に応じてアラーム信号を出力することを特徴とする。
【０００９】
請求項２の発明は、最高電位が出力される最高電位出力端子、最低電位が出力される最低電位出力端子及び前記最高電位と前記最低電位との間の中間電位が出力される中間電位出力端子を備えた電源装置の低電圧異常検出回路であって、前記最高電位出力端子と前記最低電位出力端子との間に接続され、前記最高電位と前記最低電位との差電位の低下を検出する基準となる低下検出基準電位を決定する第１回路と、前記中間電位出力端子と前記最低電位出力端子との間に接続され、アラーム信号出力手段と低電圧検出手段とからなる直列回路とを備え、前記電位低下検出手段は、前記最低電位と前記最高電位との差電位が前記低下検出基準電位より低下した場合に電流の流れを阻止し、前記アラーム信号出力手段は、前記電流の流れの有無に応じてアラーム信号を出力することを特徴とする。
【００１０】
請求項３の発明は、請求項１又は請求項２記載の電源装置の低電圧異常検出回路において、前記アラーム信号出力手段は、前記最高電位出力端子、前記中間電位出力端子及び前記最低電位出力端子の中の２つの出力端子間に出力される出力電圧を生成する給電出力回路に開放不良が存在する場合に、前記電流の流れが阻止されるように接続されていることを特徴とする。
【発明の効果】
【００１１】
本発明によれば、従来のように補助電源は不要になるので、部品点数を削減することができ、小型化及び低コスト化を図ることができる。また、給電出力回路に開放不良が存在する場合に、アラーム信号出力手段に流れる電流が阻止されるので、給電出力回路の部品の開放不良により出力電圧が得られないという異常状態を検出できる。
【発明を実施するための最良の形態】
【００１２】
以下、本発明の実施の形態に係る電源装置の低電圧異常検出回路を、図面を参照しながら詳細に説明する。
【実施例１】
【００１３】
図１は本発明の実施例１に係る電源装置の低電圧異常検出回路の構成を示す回路図である。なお、図１は電源装置の２次側の回路のみを示している。電源装置は、トランスＴの２次巻線Ｓ、整流ダイオードＤ２及び平滑コンデンサＣ１からなる第１給電出力回路と、トランスＴの２次巻線Ｓ、整流ダイオードＤ３及び平滑コンデンサＣ２からなる第２給電出力回路を備えている。第１給電出力回路は、第１出力端子ＯＵＴ１（本発明の最高電位出力端子に対応する）と接地端子ＧＮＤ（本発明の最低電位出力端子に対応する）との間に第１出力電圧を出力する。第２給電出力回路は、第２出力端子ＯＵＴ２（本発明の中間電位出力端子に対応する）と接地端子ＧＮＤとの間に第２出力電圧を出力する。
【００１４】
第１出力電圧の電圧検出点Ａの電位をＶAとし、第２出力電圧の電圧検出点Ｂの電位をＶBとすると、正常動作時は、ＶA＞ＶBであるものとする。したがって、第１出力端子ＯＵＴ１の電位ＶAが最高電位、第２出力端子ＯＵＴ２の電位ＶBが中間電位、接地端子ＧＮＤの電位が最低電位となる。
【００１５】
第１出力端子ＯＵＴ１と接地端子ＧＮＤとの間には、抵抗Ｒ２、ツェナーダイオードＺＤ１及び抵抗Ｒ１が直列に接続された第１直列回路（本発明の第１回路に対応する）が設けられている。抵抗Ｒ１及び抵抗Ｒ２は電圧分圧機能を有し、ツェナーダイオードＺＤ１は電圧分圧機能と基準電圧発生機能とを兼ね備えている。抵抗Ｒ２の抵抗値、ツェナーダイオードＺＤ１のツェナー電圧値及び抵抗Ｒ１の抵抗値は、第１出力端子ＯＵＴ１から出力される第１出力電圧が低下して第１低下検出基準電位となった場合に、第１直列回路に流れる電流を阻止するように決定されている。
【００１６】
第２出力端子ＯＵＴ２と接地端子ＧＮＤとの間には、抵抗Ｒ３、ツェナーダイオードＺＤ４、フォトカプラＰＣ１及び電圧比較用のトランジスタＱ１が直列に接続された第２直列回路が設けられている。抵抗Ｒ３及びツェナーダイオードＺＤ４は本発明の第２回路に対応し、フォトカプラＰＣ１は本発明のアラーム信号出力手段に対応し、トランジスタＱ１は、本発明の電位低下検出手段に対応する。抵抗Ｒ３の抵抗値及びツェナーダイオードＺＤ４のツェナー電圧値は、第２出力端子ＯＵＴ２から出力される第２出力電圧が低下して第２低下検出基準電位となった場合に、第２直列回路に流れる電流を阻止する値に決定されている。なお、図１は、フォトカプラＰＣ１の発光ダイオードのみを示しているが、フォトカプラＰＣ１は、図５に示すように、フォトトランジスタと対になっており、このフォトトランジスタがオフすることによりアラーム信号ＡＬＭが出力されるように構成されている。
【００１７】
トランジスタＱ１のベースは、ツェナーダイオードＺＤ１と抵抗Ｒ１との接続点に接続されている。トランジスタＱ１のベースに印加される電圧は、第１出力端子ＯＵＴ１から出力される第１出力電圧が定常時の値である時は、トランジスタＱ１がオンし、第１出力端子ＯＵＴ１から出力される第１出力電圧が定常時より低い値になるとトランジスタＱ１がオフするように設定されている。
【００１８】
第１出力端子ＯＵＴ１から出力される第１出力電圧が低下するとトランジスタＱ１がオフし、トランジスタＱ１のコレクタと第２出力端子ＯＵＴ２との間に接続されている抵抗Ｒ３、ツェナーダイオードＺＤ４及びフォトカプラＰＣ１の発光ダイオードからなる直列回路に電流が流れなくなるため、フォトカプラＰＣ１の発光ダイオードは消灯し、フォトカプラＰＣ１の図示しないフォトトランジスタはオフする。
【００１９】
次に、上記のように構成される本発明の実施例１に係る電源装置の低電圧異常検出回路の動作を説明する。
【００２０】
第１出力端子ＯＵＴ１から出力される第１出力電圧及び第２出力端子ＯＵＴ２から出力される第２出力電圧の両方が定常（正常）である時には、第１直列回路の抵抗Ｒ２、ツェナーダイオードＺＤ１及び抵抗Ｒ１を経由して電流が流れ、トランジスタＱ１はオンする。その結果、抵抗Ｒ３、ツェナーダイオードＺＤ４、フォトカプラＰＣ１及びトランジスタＱ１を経由して電流が流れ、発光ダイオードは点灯する。これにより、フォトカプラＰＣ１の図示しないフォトトランジスタはオンし、正常状態である旨を示す信号を出力する。
【００２１】
第１出力端子ＯＵＴ１から出力される第１出力電圧が低下し、抵抗Ｒ２の電圧とツェナーダイオードＺＤ１の電圧の合計電圧以下になると、ツェナーダイオードＺＤ１によって電流の流れが阻止され、トランジスタＱ１のベース電流を流すことができなくなる。その結果、トランジスタＱ１はオフするので、フォトカプラＰＣ１の発光ダイオードは消灯し、フォトカプラＰＣ１の図示しないフォトトランジスタはオフし、異常状態である旨を示すアラーム信号ＡＬＭが出力される。
【００２２】
第２出力端子ＯＵＴ２から出力される第２出力電圧が低下し、抵抗Ｒ３の電圧とツェナーダイオードＺＤ４の電圧との合計電圧以下になると、ツェナーダイオードＺＤ４によって電流の流れが阻止され、フォトカプラＰＣ１の発光ダイオードは消灯する。その結果、フォトカプラＰＣ１の図示しないフォトトランジスタはオフし、異常状態である旨を示すアラーム信号ＡＬＭが出力される。
【００２３】
次に、トランスＴの２次巻線Ｓの端子、又は、整流ダイオードＤ２又はＤ３のはんだ付け不良や断線といった開放不良によって第１出力端子ＯＵＴ１、第２出力端子ＯＵＴ２又は接地端子ＧＮＤが未接続になった場合の動作を説明する。
【００２４】
図５に示した従来の低電圧異常検出回路では、負荷が接続されていないと、ダイオードＤ１〜Ｄ３を経由する電流が流れないため、接続点Ｄ〜Ｆの電圧を低下させることができない。したがって、接続点Ｄ〜Ｆに対応する出力端子に出力電圧が発生していない場合であっても、アラーム信号ＡＬＭは出力されない。
【００２５】
これに対し、本発明の実施例１に係る電源装置の低電圧異常検出回路においては、第１給電出力回路のダイオードＤ２又はトランスＴの２次巻線Ｓが断線しており、第１出力端子ＯＵＴ１から第１出力電圧が出力されていないと仮定すると、トランジスタＱ１のベース電流が流れないため、トランジスタＱ１はオフする。その結果、フォトカプラＰＣ１の発光ダイオードは消灯し、フォトカプラＰＣ１の図示しないフォトトランジスタはオフし、異常状態である旨を示すアラーム信号ＡＬＭが出力される。
【００２６】
また、第２出力端子ＯＵＴ２のダイオードＤ３又はトランスＴの２次巻線Ｓが断線している仮定すると、抵抗Ｒ３、ツェナーダイオードＺＤ４及びフォトカプラＰＣ１の発光ダイオードからなる直列回路に電流が流れなくなる。その結果、フォトカプラＰＣ１の発光ダイオードは消灯し、フォトカプラＰＣ１の図示しないフォトトランジスタはオフし、異常状態である旨を示すアラーム信号ＡＬＭが出力される。
【００２７】
トランスＴの接地端子ＧＮＤが断線したときも、抵抗Ｒ３、ツェナーダイオードＺＤ１及びフォトカプラＰＣ１の発光ダイオードからなる直列回路に電流が流れなくなる。その結果、フォトカプラＰＣ１の発光ダイオードは消灯し、フォトカプラＰＣ１の図示しないフォトトランジスタはオフし、異常状態である旨を示すアラーム信号ＡＬＭが出力される。
【００２８】
以上説明したように、本発明の実施例１に係る電源装置の低電圧異常検出回路によれば、各給電出力回路の出力の低電圧異常を検出する他に、はんだ付け不良や断線といった開放不良をも検出することができるので、量産時の簡易チェックや実機での不良解析等において不良箇所の切り分け、例えば、電源装置の不良か負荷装置の不良か等を、第１出力端子ＯＵＴ１又は第２出力端子ＯＵＴ２に接続されているコネクタを外すだけで簡単に判別できるといった実用上の利点がある。
【実施例２】
【００２９】
図２は本発明の実施例２に係る電源装置の低電圧異常検出回路の構成を示す回路図である。なお、図２は、電源装置の２次側の回路のみを示している。電源装置は、トランスＴの２次巻線Ｓ、整流ダイオードＤ２及び平滑コンデンサＣ１からなる第１給電出力回路と、トランスＴの２次巻線Ｓ、整流ダイオードＤ３及び平滑コンデンサＣ２からなる第３給電出力回路を備えている。第１給電出力回路は、第１出力端子ＯＵＴ１（本発明の最高電位出力端子に対応する）と接地端子ＧＮＤ（本発明の中間電位出力端子に対応する）との間に正の電圧である第１出力電圧を出力する。第２給電出力回路は、第３出力端子ＯＵＴ３（本発明の最低電位出力端子に対応する）と接地端子ＧＮＤとの間に負の電圧である第３出力電圧を出力する。
【００３０】
第１出力電圧の電圧検出点Ａの電位をＶAとし、第３出力電圧の電圧検出点Ｃの電位をＶCとすると、正常動作時は、電位ＶAは接地端子ＧＮＤの電位に対し正となり、電位ＶCは接地端子ＧＮＤの電位に対し負となる。したがって、第１出力端子ＯＵＴ１の電位ＶAが最高電位、接地端子ＧＮＤの電位が中間電位、第３出力端子ＯＵＴ３の電位ＶCが最低電位となる。
【００３１】
第１出力端子ＯＵＴ１と第３出力端子ＯＵＴ３との間には、抵抗Ｒ２、ツェナーダイオードＺＤ１及び抵抗Ｒ１が直列に接続された直列回路（本発明の第１回路に対応する）が設けられている。抵抗Ｒ１及び抵抗Ｒ２は電圧分圧機能を有し、ツェナーダイオードＺＤ１は電圧分圧機能と基準電圧発生機能とを兼ね備えている。抵抗Ｒ２の抵抗値、ツェナーダイオードＺＤ１のツェナー電圧及び抵抗Ｒ１の抵抗値は、第１出力端子ＯＵＴ１から出力される第１出力電圧又は第３出力端子ＯＵＴ３から出力される第３出力電圧が低下することにより、これらの差電位が低下検出基準電位となった場合に、直列回路に流れる電流を阻止するように決定されている。
【００３２】
接地端子ＧＮＤと第３出力端子ＯＵＴ３との間には、抵抗Ｒ３、フォトカプラＰＣ１及び電圧比較用のトランジスタＱ１が直列に接続された直列回路が設けられている。フォトカプラＰＣ１は本発明のアラーム信号出力手段に対応し、トランジスタＱ１は、本発明の電位低下検出手段に対応する。なお、図２は、フォトカプラＰＣ１の発光ダイオードのみを示しているが、フォトカプラＰＣ１は、図５に示すように、フォトトランジスタと対になっており、このフォトトランジスタがオフすることによりアラーム信号ＡＬＭが出力されるように構成されている。
【００３３】
トランジスタＱ１のベースは、ツェナーダイオードＺＤ１と抵抗Ｒ１との接続点に接続されている。トランジスタＱ１のベースに印加される電圧は、第１出力端子ＯＵＴ１から出力される第１出力電圧及び第３出力端子ＯＵＴ３から出力される第３出力電圧が定常時の値である時は、トランジスタＱ１がオンし、第１出力端子ＯＵＴ１から出力される第１出力電圧又は第３出力端子ＯＵＴ３から出力される第３出力電圧が定常時より低い値になるとトランジスタＱ１がオフするように設定されている。
【００３４】
第１出力端子ＯＵＴ１から出力される第１出力電圧又は第３出力端子ＯＵＴ３から出力される第３出力電圧が低下するとトランジスタＱ１がオフし、トランジスタＱ１のコレクタと接地端子ＧＮＤとの間に接続されている抵抗Ｒ３とフォトカプラＰＣ１の発光ダイオードとからなる直列回路に電流が流れなくなるため、フォトカプラＰＣ１の発光ダイオードは消灯し、フォトカプラＰＣ１の図示しないフォトトランジスタはオフする。
【００３５】
なお、この実施例２に係る電源装置のように、正の出力電圧と負の出力電圧とを出力する電源装置の低電圧異常検出回路では、接地端子ＧＮＤに対する第１出力電圧又は第３出力電圧の低下を検出すればよいため、実施例１に係る電源装置の低電圧異常検出回路のように、ツェナーダイオードＺＤ４は不要である。
【００３６】
次に、上記のように構成される本発明の実施例２に係る電源装置の低電圧異常検出回路の動作を説明する。
【００３７】
この低電圧異常検出回路は、正の電圧を出力する第１出力端子ＯＵＴ１と負の電圧を出力する第３出力端子ＯＵＴ３との間の電圧を検出するように構成されているため、第１出力端子ＯＵＴ１から出力される第１出力電圧又は第３出力端子ＯＵＴ３から出力される第３出力電圧のどちらか一方が低下するとトランジスタＱ１のベース電流が流れなくなり、フォトカプラＰＣ１の発光ダイオードは消灯する。その結果、フォトカプラＰＣ１の図示しないフォトトランジスタはオフし、異常状態である旨を示すアラーム信号ＡＬＭが出力される。
【００３８】
また、トランスＴの２次巻線Ｓの断線、又は、整流ダイオードＤ２又はＤ３のはんだ付け不良や断線といった開放不良があると、図１に示した実施例１に係る電源装置の低電圧異常検出回路と同様に、異常状態である旨を示すアラーム信号ＡＬＭが出力される。
【実施例３】
【００３９】
図３は本発明の実施例３に係る電源装置の低電圧異常検出回路の構成を示す回路図である。なお、図３は、電源装置の２次側の回路のみを示している。この低電圧異常検出回路は、図１に示した実施例１に係る電源装置の低電圧異常検出回路のツェナーダイオードＺＤ１を除去して抵抗Ｒ４を挿入し、トランジスタＱ１のエミッタと接地端子ＧＮＤとの間に低下検出基準電位を発生するツェナーダイオードＺＤ１を設けて構成されている。
【００４０】
このように構成される低電圧異常検出回路は、実施例１に係る電源装置の低電圧異常検出回路と同様の作用及び効果が得られる。また、この実施例３に係る電源装置の低電圧異常検出回路によれば、トランジスタＱ１のベースに印加する電圧は、抵抗Ｒ１の抵抗値と抵抗Ｒ４の抵抗値との比を変えることによって容易に決定できるので、第１出力電圧の低下検出基準電位を容易に決定することができる。なお、ツェナーダイオードＺＤ１のツェナー電圧と第２出力端子ＯＵＴ２に出力される出力電圧との関係によっては、ツェナーダイオードＺＤ４は省略することもできる。
【実施例４】
【００４１】
図４は本発明の実施例４に係る電源装置の低電圧異常検出回路の構成を示す回路図である。なお、図４は、電源装置の２次側の回路のみを示している。この低電圧異常検出回路は、図１に示した実施例１に係る電源装置の低電圧異常検出回路のツェナーダイオードＺＤ１を除去して抵抗Ｒ４を挿入し、電圧比較用のトランジスタＱ１の代わりに電圧比較回路ＣＭＰ１を設けて構成されている。
【００４２】
このように構成される低電圧異常検出回路は、実施例１に係る電源装置の低電圧異常検出回路と同様の作用及び効果が得られる。また、この実施例４に係る電源装置の低電圧異常検出回路によれば、低下検出基準電位を精密に決定することができる。
【図面の簡単な説明】
【００４３】
【図１】本発明の実施例１に係る電源装置の低電圧異常検出回路の構成を示す回路図である。
【図２】本発明の実施例２に係る電源装置の低電圧異常検出回路の構成を示す回路図である。
【図３】本発明の実施例３に係る電源装置の低電圧異常検出回路の構成を示す回路図である。
【図４】本発明の実施例４に係る電源装置の低電圧異常検出回路の構成を示す回路図である。
【図５】従来の電源装置の低電圧異常検出回路の構成を示す回路図である。
【符号の説明】
【００４４】
Ｔ  トランス
Ｓ  トランスの２次巻線
Ｃ１、Ｃ２  平滑コンデンサ
Ｄ２、Ｄ３  整流ダイオード
Ｒ１〜Ｒ４  抵抗
ＺＤ１、ＺＤ４  ツェナーダイオード
ＰＣ１  フォトカプラ
Ｑ１  トランジスタ
ＣＭＰ１  電圧比較回路
Ｖref  参照電位
【図１】
2008029072.tif 000003
【図２】
2008029072.tif 000004
【図３】
2008029072.tif 000005
【図４】
2008029072.tif 000006
【図５】
2008029072.tif 000007